(57)【要約】【課題】地点のサービス情報を取得する装置において、取得したサービスの利用形態を改良することで、ユーザの利便性をより高める。【解決手段】車両用ナビゲーション装置は、目的地設定のための検索条件の入力を受け付けると、サービス情報と関連付けて記録されている地点のうち、当該検索条件に合致する地点３１を抽出してリスト化し、さらに、サービス情報と関連付けて記録されていない地点３２〜３４のうち、当該検索条件に合致する地点を抽出して、上記リストの末尾に追加する。そして、当該リストの表示において、サービス情報と関連付けて記録されている登録地点の項目にのみサービス情報登録スイッチ３８を付加表示させる。【選択図】図６
2009169465.tif 000002
【特許請求の範囲】
【請求項１】
地点に関連付けて、記憶媒体（１６）にサービス情報を記録する記録手段（１１０〜１３０、３４０〜３８０）と、
前記記憶媒体（１６）に前記サービス情報が記録された前記地点を、前記記憶媒体（１６）にサービス情報が記録されていない地点よりも優先して、地点群を表示する表示手段（１７ａ）と、を備えた地点群表示装置。
【請求項２】
地点に関連付けてサービス情報を記録する記録手段（１７ｂ）と、
前記記録手段（１７ｂ）に前記サービス情報が記録された前記地点と、前記記録手段にサービス情報が記録されていない地点とが、視覚的に区別できるよう、地点群を表示する表示手段（１７ａ）と、を備えた地点群表示装置。
【請求項３】
当該地点群表示装置は車両に搭載され、
当該地点群表示装置の主電源オン後に、当該主電源がオフであった期間の長さが基準長以上であったことに基づいて、前記記録手段（３４０〜３８０）の実行指令を受け付ける表示を行う受付手段（３１０〜３３０）を備えたことを特徴とする請求項１または２に記載の地点群表示装置。
【請求項４】
地点に関連付けて、記憶媒体（１６）にサービス情報を記録する記録手段（１１０〜１３０、３４０〜３８０）、および
前記記憶媒体（１６）に前記サービス情報が記録された前記地点を、前記記憶媒体（１６）にサービス情報が記録されていない地点よりも優先して、地点群を表示する表示手段（１７ａ）として、コンピュータを機能させるプログラム。
【請求項５】
地点に関連付けて、記憶媒体（１６）にサービス情報を記録する記録手段（１１０〜１３０、３４０〜３８０）、および
前記記録手段（１７ｂ）に前記サービス情報が記録された前記地点と、前記記録手段にサービス情報が記録されていない地点とが、視覚的に区別できるよう、地点群を表示する表示手段（１７ａ）として、コンピュータを機能させるプログラム。
【発明の詳細な説明】
【技術分野】
【０００１】
本発明は、地点群表示装置および地点群表示装置用のプログラムに関する。
【背景技術】
【０００２】
特許文献１には、地点のサービス情報（例えば割引情報）を取得・表示するシステムが記載されている。具体的には、ナビゲーション装置において、割引等のサービス情報を取得したい地点をあらかじめ登録しておき、ユーザがサービス情報のキーワードを入力すると、登録地点とキーワードをサーバへ送信する。サーバ側では、受信した登録地点とキーワードに基づいてサービス情報を検索し、ヒットしたサービス情報をナビゲーション装置に送信する。そして、ナビゲーション装置は、受信したサービス情報を表示する。
【特許文献１】特開２００４−２０２６０号公報
【発明の開示】
【発明が解決しようとする課題】
【０００３】
しかし、特許文献１には、ユーザ側（具体的にはナビゲーション装置）で取得したサービス情報の利用形態としては、当該サービス情報を表示することが開示されているに過ぎない。
【０００４】
本発明は上記点に鑑み、地点のサービス情報を取得する装置において、取得したサービスの利用形態を改良することで、ユーザの利便性をより高めることを目的とする。
【課題を解決するための手段】
【０００５】
上記目的を達成するための請求項１に記載の発明は、地点群表示装置が、地点（例えば、店舗、公園、遊園地）に関連付けて、記憶媒体（１６）にサービス情報を記録し、当該記憶媒体（１６）にサービス情報が記録された地点を、当該記憶媒体（１６）にサービス情報が記録されていない地点よりも優先して、地点群を表示することを特徴とする。
【０００６】
ユーザが店舗を訪れてサービス情報（例えば割引クーボン）を取得した場合に、ユーザは、このサービス情報を利用したいと考える可能性が高い。上記のような地点群表示装置では、サービス情報の取得後の地点群表示（例えば地点リスト表示）時において、当該サービス情報が記録された地点が優先的に表示される。したがって、ユーザは、サービス情報の記録された地点を容易に見つけることができる。すなわち、地点群表示装置は、ユーザによるサービス情報の利用の便宜を提供することができるようになる。
【０００７】
なお、ここでいうサービス情報は、個人別に受けることができるサービス情報（例えば個々に配られる割引クーポンの情報）であってもよいし、不特定多数に対するサービス情報（例えば期間限定割引チラシの情報）であってもよい。
【０００８】
また、上記目的を達成するための請求項２に記載の発明は、地点群表示装置が、地点に関連付けて、記憶媒体（１６）にサービス情報を記録し、当該記憶媒体（１６）にサービス情報が記録された地点と、当該記憶媒体（１６）にサービス情報が記録されていない地点とが、視覚的に区別できるよう、地点群を表示することを特徴とする。
【０００９】
上記のような地点群表示装置では、サービス情報の取得後の地点群表示時において、当該サービス情報の記録された地点が、そうでない地点と区別される。したがって、ユーザは、地点群表示中、どの地点がサービス情報の記録された地点であるかを容易に判別することができる。すなわち、地点群表示装置は、ユーザによるサービス情報の利用の便宜を提供することができるようになる。
【００１０】
また、地点群表示装置が車両に搭載されている場合、請求項３に記載のように、当該地点群表示装置は、自機の主電源オン後に、当該主電源がオフであった期間の長さが基準長以上であったことに基づいて、上述のようなサービス情報の記録のため作動の実行指令を受け付ける表示を行うようになっていてもよい。
【００１１】
地点群表示装置が車両に搭載されている場合は、その地点群表示装置の主電源がある程度長時間オフとなっていたことと、その地点（例えば、レストラン）を利用し、その利用と共にサービス情報（例えば割引クーポン）を受け取ったこととの間の相関度が高い。
【００１２】
したがって、上記のようなタイミングで、サービス情報の記録のため作動の実行指令を受け付ける表示を行うことで、タイムリーにサービス情報の登録をユーザに促すことができる可能性が高くなる。
【００１３】
また、請求項４、５に記載のように、請求項１、２に記載の発明は、地点群表示装置に用いるプログラムとしても捉えることができる。
【００１４】
なお、上記および特許請求の範囲における括弧内の符号は、特許請求の範囲に記載された用語と後述の実施形態に記載される当該用語を例示する具体物等との対応関係を示すものである。
【発明を実施するための最良の形態】
【００１５】
（第１実施形態）
以下、本発明の第１実施形態について説明する。図１に、本実施形態に係る車両用ナビゲーション装置１（地点群表示装置の一例に相当する）のハードウェア構成を示す。この車両用ナビゲーション装置１は、位置検出器１１、画像表示装置１２、操作部１３、スピーカ１４、地図データ取得部１６、および制御回路１７を有している。
【００１６】
位置検出器１１は、いずれも周知の図示しない地磁気センサ、ジャイロスコープ、車速センサ、およびＧＰＳ受信機等のセンサを有しており、これらセンサの各々の性質に基づいた、車両の現在位置、向き、および速度を特定するための情報を制御回路１７に出力する。
【００１７】
画像表示装置１２は、制御回路１７から出力された映像信号に基づいた映像をユーザに表示する。表示映像としては、例えば現在地を中心とする地図等がある。
【００１８】
操作部１３は、車両用ナビゲーション装置１に設けられた複数のメカニカルスイッチ、画像表示装置１２の表示面に重ねて設けられたタッチパネル等の入力装置から成り、ユーザによるメカニカルスイッチの押下、タッチパネルのタッチに基づいた信号を制御回路１７に出力する。
【００１９】
地図データ取得部１６は、ＨＤＤ等の不揮発性の書き込み可能な記憶媒体およびそれら記憶媒体に対してデータの読み出しおよび書き込みを行う装置から成る。当該記憶媒体は、制御回路１７が実行するプログラム、経路案内用の地図データ１６ａ、サービス情報ＤＢ１６ｂ等を記憶している。
【００２０】
地図データ１６ａは、道路データおよび地点データを有している。道路データは、リンクの位置情報、種別情報、ノードの位置情報、種別情報、および、ノードとリンクとの接続関係の情報等を含んでいる。
【００２１】
地点データは、地点（店舗等の施設、および、名所等の自然物）のレコードを複数有しており、各レコードは、対象とする地点の名称情報、所在位置情報、土地地番情報、電話番号情報、地点ジャンル（例えば、ラーメン店、洋食店、遊園地、スーパーマーケット等の別）情報等を示すデータを有している。なお、地点データは、車両用ナビゲーション装置１の出荷時にあらかじめ記録されているデータに加え、ユーザが操作部１３を用いて追加したデータ（例えば、お気に入り地点データ）を含んでいる。
【００２２】
サービス情報ＤＢ１６ｂは、複数件のサービス情報を記録するためのデータ領域である。サービス情報は、例えば個々に配られる割引クーポンの情報のような個人別に受けることができるサービスの情報、および、例えば期間限定バーゲンの情報等のような不特定多数に対するサービスの情報を含む。後述するように、サービス情報ＤＢ１６ｂにおいては、サービス情報が、そのサービス情報に係るサービスを提供する地点に関連付けられた形式で、記録されるようになっている。
【００２３】
制御回路（コンピュータに相当する）１７は、ＣＰＵ、ＲＡＭ、ＲＯＭ、Ｉ／Ｏ等を有するマイコンである。ＣＰＵは、ＲＯＭまたは地図データ取得部１６から読み出した車両用ナビゲーション装置１の動作のためのプログラムを実行し、その実行の際にはＲＡＭ、ＲＯＭ、および地図データ取得部１６から情報を読み出し、ＲＡＭおよび地図データ取得部１６の記憶媒体に対して情報の書き込みを行い、位置検出器１１、画像表示装置１２、操作部１３、およびスピーカ１４と信号の授受を行う。
【００２４】
制御回路１７がプログラムを実行することによって行う具体的な処理としては、現在位置特定処理、目的地検索処理１７ａ（図２参照）、誘導経路算出処理、経路案内処理、サービス情報入力処理１７ｂ（図２参照）等がある。
【００２５】
現在位置特定処理は、位置検出器１１からの信号に基づいて、周知のマップマッチング等の技術を用いて車両の現在位置や向きを特定する処理である。
【００２６】
目的地検索処理１７ａは、操作部１３を用いてユーザが入力した検索条件（例えば、ジャンル、名称の一部、地域）に基づいて、当該検索条件に合致する地点群を抽出し、抽出した地点群を画像表示装置１２に表示させ、さらに、操作部１３を介して、それら地点群のうち１つの選択をユーザから受け付ける処理である。
【００２７】
誘導経路算出処理は、目的地検索処理１７ａによって選択を受け付けた１つの目的地を特定し、現在位置から当該目的地までの最適な誘導経路を算出する処理である。
【００２８】
経路案内処理は、地図データ取得部１６から地図データを読み出し、算出された誘導経路、目的地、経由地および現在位置等をこの地図データの示す地図上に重ねた画像を、画像表示装置１２に出力し、案内交差点の手前に自車両が到達したとき等の必要時に、右折、左折等を指示する案内音声をスピーカ１４に出力させる処理である。
【００２９】
サービス情報入力処理１７ｂは、サービス情報ＤＢ１６ｂに、地点と関連付けてサービス情報を記録する処理である。本実施形態においては、図２に示すように、サービス情報入力処理１７ｂによってサービス情報ＤＢ１６ｂにサービス情報が記録され、目的地検索処理１７ａにおいて当該地図データ取得部１６中のサービス情報が利用される。
【００３０】
以下、サービス情報入力処理１７ｂおよび目的地検索処理１７ａの詳細について説明する。制御回路１７は、サービス情報入力処理１７ｂを実現するために、図３に示すプログラム１００を実行する。制御回路１７は、ユーザが操作部１３に対して所定の実行操作を行ったことに基づいて、プログラム１００の実行を開始する。
【００３１】
ユーザがそのような所定の実行操作を行う場合としては、例えば、ユーザが特定の店舗において、当該店舗で利用可能な割引クーポン券を入手した場合がある。
【００３２】
プログラム１００の実行において、制御回路１７はまずステップ１１０で、操作部１３を用いてユーザが入力した検索条件等に基づいて、１つの地点を特定し、特定した地点の地点情報を取得する。操作部１３が入力する検索条件等は、上述の例においては、割引クーポン券を入手した店舗に対応する地点を一意に特定するために必要な情報である。なお、地点情報とは、地図データ１６ａ中の地点データに含まれる、対象地点に関連する情報である。
【００３３】
続いてステップ１２０で、操作部１３を介してサービス情報の入力を受け付ける。ここで、入力を受け付ける情報は、例えば、図４に示すように、サービス情報名（例えば、割引クーポン、バーゲン等）、サービス情報詳細（例えば、割引額等、サービスの具体的内容）、およびサービス情報有効期限（すなわち、当該サービスが受けられる期間）である。
【００３４】
続いてステップ１３０では、直前のステップ１１０で取得した地点情報に直前のステップ１２０で取得したサービス情報を関連付けたデータを、サービス情報ＤＢ１６ｂに記録し、その後プログラム１００の実行を終了する。このように、制御回路１７は、ユーザが指定した地点と、ユーザが入力したサービス情報とを関連付けて、サービス情報ＤＢ１６ｂに追加記録する。
【００３５】
また、制御回路１７は、目的地検索処理１７ａを実現するために、図５に示すプログラム２００を実行する。このプログラム２００の実行において、制御回路１７は、まずステップ２１０で、ユーザによる検索条件（例えばラーメン店、愛知県刈谷市内等）の入力を操作部１３を介して受け付ける。
【００３６】
続いてステップ２２０では、サービス情報ＤＢ１６ｂ中の各サービス情報に関連付けられている地点（以下、サービス登録地点という）を検索対象として、受け付けた検索条件に合致する地点を検索する。ただし、有効期限が既に過ぎているサービス情報に関連付けられた地点は、検索対象から外すようになっていてもよい。
【００３７】
そして、ステップ２３０で当該検索条件に合致する地点があるか否か判定し、あれば続いてステップ２４０では合致した地点をリスト化してステップ２５０に進み、なければ空のリストを作成して続いてステップ２５０に進む。
【００３８】
ステップ２５０では、地図データ１６ａ中の地点データに登録されている地点（以下、登録地点という）のうち、サービス情報ＤＢ１６ｂ中のサービス情報に関連付けられていない地点（以下、非サービス登録地点という）を検索対象として、受け付けた検索条件に合致する地点を検索する。そして、ステップ２６０で当該検索条件に合致する登録地点があるか否か判定し、なければそのままステップ２８０に進み、あれば続いてステップ２７０で、合致した登録地点のリストを、上述のリスト（ステップ２４０で作成したリスト、または、ステップ２４０でリストを作成していなければ、空のリスト）の末尾に追加する。
【００３９】
続いてステップ２８０で、作成したリストの順序通りに、地点情報（例えば地点名称）のリスト表示を、画像表示装置１２に行わせる。図６に、地点リスト表示の一例の画面３０を示す。この例においては、ステップ２２０または２５０において“ラーメン店、刈谷市”という検索条件で検索が行われた際にヒットした登録地点３１〜３４が、上から下に順にリスト表示されている。この例では、リストの先頭の登録地点３１が、サービス登録地点の表示であり、他の登録地点３２〜３４が、非サービス登録地点の表示である。
【００４０】
なお、このリスト表示は、リスト全体の一部（具体的には先頭部分）であり、制御回路１７は、上スクロールボタン３５、下スクロールボタン３６をユーザが操作部１３を用いて選択することに対応して、当該リスト中の表示部分を上下にスクロールさせるようになっている。また、現在リスト全体のどの部分が表示対象となっているか示すために、画像表示装置１２にスクロールバー３７を表示させる。
【００４１】
また、制御回路１７は、画像表示装置１２を制御して、サービス登録地点の近傍に、それがサービス登録地点であることを示すサービス情報登録スイッチ３８を表示させる。しかし、非サービス登録地点の近傍には、アイコン等を表示させない。したがって、地点リスト画面３０中、サービス登録地点３１と非サービス登録地点３２〜３４とは明確に区別されて表示され、かつ、サービス登録地点３１は、非サービス登録地点３２〜３４よりも目立って表示される。ステップ２８０の後、制御回路１７は、プログラム２００の実行を終了し、当該リスト中から１つの地点の選択を、操作部１３を介してユーザから受け付ける。
【００４２】
以上のように、制御回路１７は、目的地設定のための検索条件の入力を受け付けると（ステップ１１０参照）、サービス情報ＤＢ１６ｂ中にサービス情報と関連付けて記録されている登録地点のうち、当該検索条件に合致する地点を抽出してリスト化し（ステップ２２０〜２４０参照）、さらに、サービス情報と関連付けて記録されていない登録地点のうち、当該検索条件に合致する地点を抽出して、上記リストの末尾に追加する（ステップ２５０〜２７０参照）。そして、当該リストの表示（ステップ２８０参照）において、サービス情報と関連付けて記録されている登録地点の項目にのみサービス情報登録スイッチ３８を付加表示させる。
【００４３】
以上説明した通り、車両用ナビゲーション装置１は、地点検索における検索結果リスト表示において、サービス情報ＤＢ１６ｂにサービス情報が記録された地点を、サービス情報ＤＢ１６ｂにサービス情報が記録されていない地点よりも、表示順序において優先させる。
【００４４】
ユーザが店舗等を訪れてサービス情報（例えば割引クーボン）を取得した場合に、ユーザは、このサービス情報を利用したいと考える可能性が高い。上記のような地点リスト表示では、サービス情報の取得後の地点リスト表示において、当該サービス情報が記録された地点が優先的に表示される。したがって、ユーザは、サービス情報の記録された地点を容易に見つけることができる。すなわち、ユーザによるサービス情報の利用の便宜を提供することができるようになる。
【００４５】
また、車両用ナビゲーション装置１は、地点検索における検索結果リスト表示において、サービス情報ＤＢ１６ｂにサービス情報が記録された地点と、サービス情報ＤＢ１６ｂにサービス情報が記録されていない地点とが、視覚的に区別できるよう、かつ、前者が後者よりも目立つよう、前者にのみ対応してサービス情報登録スイッチ３８を付随表示させている。
【００４６】
このように、サービス情報の取得後の地点リスト表示時において、当該サービス情報の記録された地点が、そうでない地点と区別され、かつ、そうでない地点よりも目立って見える。したがって、ユーザにとっては、地点リスト表示中、どの地点がサービス情報の記録された地点であるかを容易に判別することができ、かつ、地点がサービス情報の記録された地点の方がより目に着き易くなる。それゆえ、ユーザによるサービス情報の利用の便宜を提供することができるようになる。
【００４７】
（第２実施形態）
次に、本発明の第２実施形態について説明する。本実施形態が第１実施形態と異なるのは、制御回路１７が、サービス情報入力処理１７ｂを実現するために、更に図７のプログラム３００を実行することである。
【００４８】
以下、このプログラム３００の処理内容について説明する。制御回路１７は、車両用ナビゲーション装置１の主電源がオンになった直後のタイミングで、このプログラム３００の実行を開始するようになっている。車両用ナビゲーション装置１の主電源がオンとなる場合としては、例えば、車両においてＩＧオフからＩＧオンまたはＡＣＣオンとなった場合がある。
【００４９】
このプログラム３００の実行において制御回路１７は、まずステップ３１０で、当該主電源オフであった期間の長さが基準長以上であるか否かを判定し、基準長未満であれば、プログラム３００の実行を終了し、基準長以上であれば、続いてステップ３２０を実行する。
【００５０】
なお、電源オフであった期間の計測は、例えば、電源オフ実行時にその時点時刻を不揮発性記憶媒体（例えば、地図データ取得部１６の記憶媒体）に記録しておき、記録した時刻と現在時刻との差をとることで実現できる。
【００５１】
ここで、基準長は、あらかじめ記憶された一定値（例えば、３０分）であってもよいし、各種条件に基づいて変動する値であってもよいし、一定の範囲内でランダムに決まる値であってもよい。例えば、主電源オン時における現在位置に最も近い地点のジャンルに応じて、基準長が変化する（例えば、コンビニエンスストアなら１５分、ファストフード店なら３０分、ファミリーレストランなら１時間等）ようになっていてもよい。
【００５２】
ステップ３２０では、図８に示すように、現在画像表示装置１２に表示させている画面（図８の例では地図画面）４０の一角に、サービス情報登録ボタン４１を重畳表示させる。
【００５３】
このサービス情報登録ボタン４１は、操作部１３を用いてユーザが選択操作（例えば押下操作）できるようになっている。このサービス情報登録ボタン４１は、ユーザにサービス情報入力処理１７ｂ（本実施形態においてはステップ３４０〜３８０の処理に相当する）の実行開始を促すと共に、当該実行開始のためのユーザ操作を簡易化させるための画像である。
【００５４】
続いてステップ３３０では、当該サービス情報登録スイッチ３８が選択されるまで待ち、選択されると続いてステップ３４０を実行する。ステップ３４０では、自車両の現在位置を中心とする基準範囲内（例えば半径５００メートル内）の地点を、地図データ１６ａから検索する。続いてステップ３５０では、検索の結果ヒットした地点群を、自車両の現在位置から近い順にリスト化し、当該リストを画像表示装置１２に表示させる。
【００５５】
続いてステップ３６０では、当該リスト中の地点のうち１つの選択をユーザが行うまで待ち、操作部１３に対して当該選択操作が行われたときに、当該操作内容に基づいて、選択対象の地点を特定する。
【００５６】
続いてステップ３７０では、第１実施形態における図３のステップ１２０と同様の処理で、操作部１３を介してサービス情報の入力を受け付ける。続いてステップ３８０では、直前のステップ３６０で取得した地点の地点情報に、直前のステップ３７０で取得したサービス情報を関連付けたデータを、サービス情報ＤＢ１６ｂに記録し、その後プログラム３００の実行を終了する。
【００５７】
以上のようなプログラム３００を主電源オン後に実行することで、制御回路１７は、
車両用ナビゲーション装置１の主電源がオフであった期間の長さが基準長以上であったことに基づいて（ステップ３１０参照）、サービス情報登録スイッチ３８を表示させ（ステップ３２０参照）、そのスイッチの選択があると（ステップ３３０参照）、自車両周辺の地点群を、近い順にリスト表示し（ステップ３４０、３５０）、そのリスト中ユーザが選択した地点と（ステップ３６０）、ユーザが入力したサービス情報と（ステップ３７０参照）を関連付けて、サービス情報ＤＢ１６ｂに追加記録する（ステップ３８０参照）。
【００５８】
このように、車両用ナビゲーション装置１は、自機の主電源オン後に、当該主電源がオフであった期間の長さが基準長以上であったことに基づいて、上述のようなサービス情報の記録のため作動の実行指令を受け付ける表示（すなわち、サービス情報登録スイッチ３８の表示）を行う。
【００５９】
車両用ナビゲーション装置１は車両に搭載されているので、その車両用ナビゲーション装置１の主電源がある程度長時間オフとなっていたことと、その地点（例えば、レストラン）を利用し、その利用と共にサービス情報（例えば割引クーポン）を受け取ったこととの間の相関度が高い。
【００６０】
その一方で車両用ナビゲーション装置１の主電源のオフ期間が短いと、ユーザは短い用件で車両用ナビゲーション装置１を離れた可能性が高く、その場合には、サービス情報を入手した可能性は低い。
【００６１】
したがって、上記のようなタイミングで、サービス情報の記録のため作動の実行指令を受け付ける表示を行うことで、タイムリーにサービス情報の登録をユーザに促すことができる。
【００６２】
また、この場合は、サービス情報を入手した地点は、主電源オン時の自車両の位置周辺である可能性が極めて高く、さらに、自車両から近い地点ほどサービス情報を入手した地点である可能性が高い。したがって、サービス情報と関連付ける地点の候補として、主電源オン時の自車両の位置の近傍の地点をリストし、そのリストの順序は、当該位置に近い順になっていることで、サービス情報の入力の際に、ユーザによる地点の指定作業の手間が低減される。
【００６３】
（他の実施形態）
以上、本発明の実施形態について説明したが、本発明の範囲は、上記実施形態のみに限定されるものではなく、本発明の各発明特定事項の機能を実現し得る種々の形態を包含するものである。
【００６４】
例えば、上記実施形態においては、検索条件に合致した登録地点のリスト表示において、サービス登録地点を非サービス登録地点よりも先に表示させ、かつ、サービス登録地点のみにサービス情報登録スイッチを付随して表示させている。しかし、本発明の効果は、これら２種類の作動のうち、いずれか一方のみによっても、発揮することができる。
【００６５】
また、サービス登録地点の表示を非サービス登録地点の表示より優先する方法としては、表示順序において優先する方法以外の方法を用いてもよい。
【００６６】
また、上記実施形態においては、サービス情報の入力のために、ユーザが操作部１３を用いて手入力している。しかし、このような入力方法に限らず、サービス情報はどのような方法で入力してもよい。
【００６７】
例えば、車両用ナビゲーション装置１がカメラと接続され、さらに、カメラによる撮影画像から２次元バーコード（例えばＱＲコード（登録商標））の読み取り機能を有している場合、ユーザは、ユーザが入手した割引クーポンに記載された２次元バーコード（当該割引情報が記載されている）を当該カメラで撮影し、車両用ナビゲーション装置１は、当該撮影画像中の２次元バーコードに基づいてサービス情報を取得するようになっていてもよい。
【００６８】
あるいは、他の２次元コード読取機能を持つ装置（例えば携帯電話機）をユーザが用いいて当該２次元コードからサービス情報を取得させ、さらに、当該装置から車両用ナビゲーション装置１に無線通信（例えばＢｌｕｅｔｏｏｔｈ（登録商標））で当該サービス情報を転送するようになっていてもよい。
【００６９】
あるいは、特許文献１に記載のように、車両用ナビゲーション装置１が、サーバとの通信を介してサービス情報を受信するようになっていてもよい。
【００７０】
また、制御回路１７は、プログラム２００の実行において、有効期限が過ぎる間近（例えば期限切れまで３日以内）のサービス情報に関連付けられた地点が検索条件に合致した場合、当該地点について、有効期限が過ぎる間近である旨を、画像表示装置１２またはスピーカ１４を用いてユーザに通知するようになっていてもよい。
【００７１】
あるいは、目的地検索処理１７ａ以外の場面においても（例えば車両用ナビゲーション装置１の主電源オン時に）、有効期限が過ぎる間近のサービス情報がサービス情報ＤＢ１６ｂに含まれていれば、当該サービス情報に関連付けられた地点について、有効期限が過ぎる間近である旨を、画像表示装置１２またはスピーカ１４を用いてユーザに通知するようになっていてもよい。
【００７２】
また、制御回路１７は、地図を表示させ、さらに地図上の各地点に施設アイコンを表示させる際、表示対象の地点に、サービス情報ＤＢ１６ｂ中のサービス情報に関連付けられている地点があれば、当該地点の施設アイコンに、サービス情報がある旨を示す画像を付加するようになっていてもよい。
【００７３】
また、サービス情報等の、追加記録または更新が必要なデータは、地図データ取得部１６に限らず、他の、車両用ナビゲーション装置１の主電源の供給が停止してもデータを保持し続けることができる記憶媒体（例えばフラッシュメモリ、ＥＥＰＲＯＭ、バックアップＲＡＭ）に記憶されるようになっていてもよい。その場合、地図データ取得部１６の記憶媒体は、ＨＤＤ等の書き込み可能な記憶媒体である必要はなく、ＤＶＤ、ＣＤ−ＲＯＭ等の書き込み不可能な記憶媒体であってもよい。
【００７４】
また、上記の実施形態において、制御回路１７がプログラムを実行することで実現している各機能は、それらの機能を有するハードウェア（例えば回路構成をプログラムすることが可能なＦＰＧＡ）を用いて実現するようになっていてもよい。
【００７５】
また、上記実施形態においては、ナビゲーション装置は車載タイプのものであるが、ナビゲーション装置は、人が持ち運びできるタイプのものであってもよい。例えば、ナビゲーション装置の機能を有する携帯電話機も、本発明のナビゲーション装置に該当する。
【００７６】
また、本発明の地点群表示装置は、目的地までの経路をナビゲーションするものに限らず、例えば、ジャンルのユーザ指定に応じて、そのジャンルの中でお勧めの地点を表示する機能のみを有する装置に適用することもできる。
【図面の簡単な説明】
【００７７】
【図１】本発明の実施形態に係る車両用ナビゲーション装置１のハードウェア構成を示すブロック図である。
【図２】制御回路１７が実行する目的地検索処理１７ｂ、制御回路１７ｃと、サービス情報ＤＢ１６ｂとの関係を示す図である。
【図３】制御回路１７が実行するプログラム１００のフローチャートである。
【図４】サービス情報ＤＢ１６ｂ中の登録項目の一例を示す図である。
【図５】制御回路１７が実行するプログラム２００のフローチャートである。
【図６】画像表示装置１２が表示する地点リスト画面３０の一例を示す図である。
【図７】制御回路１７が実行するプログラム３００のフローチャートである。
【図８】画像表示装置１２が表示する地図画面４０の一例を示す図である。
【符号の説明】
【００７８】
１          車両用ナビゲーション装置
１６ｂ      サービス情報ＤＢ
１７ａ      サービス情報入力処理
１７ｂ      目的地検索処理
３０        地点リスト画面
３１        サービス登録地点
３２〜３４  非サービス登録地点
３８        サービス情報登録スイッチ
４１        サービス情報登録ボタン
【図１】
2009169465.tif 000003
【図２】
2009169465.tif 000004
【図３】
2009169465.tif 000005
【図４】
2009169465.tif 000006
【図５】
2009169465.tif 000007
【図６】
2009169465.tif 000008
【図７】
2009169465.tif 000009
【図８】
2009169465.tif 000010